(57)【要約】【課題】  動作状態をブザーにより報知可能な画像形成装置において、製造コストを極端に高くすることなく、より多くの情報を報知可能にする。【解決手段】  ブザーと、プリンタの動作状態を検知する位置センサおよび回転センサと、ＣＰＵとを備え、ＣＰＵは、位置センサおよび回転センサが検知した動作状態に対応して、高低および長短により特定される鳴動音を予め定められた複数種類の鳴動音（桁表示音）の中から選択し、選択された鳴動音に従ってブザーが鳴動するようブザーを制御する。従って、プリンタの動作状態に応じてブザーに異なる鳴動音を発生させることができるので、製造コストを極端に高くすることなく、より多くの情報を報知可能にすることができる。【選択図】  図９
2005096130.tif 000002
【特許請求の範囲】
【請求項１】
外部から画像形成データを受けると、該画像形成データに基づいて、記録媒体上に画像を形成する画像形成装置において、
ブザーを有する鳴動手段と、
当該画像形成装置の動作状態を検知する動作状態検知手段と、
前記動作状態検知手段が検知した動作状態に対応して、高低、長短、あるいは音種により特定される鳴動音を、予め定められた複数種類の鳴動音の中から選択し、該鳴動音に従って前記鳴動手段が鳴動するよう該鳴動手段を制御する鳴動制御手段と、
を備えたことを特徴とする画像形成装置。
【請求項２】
前記鳴動制御手段は、前記動作状態検知手段が検知した動作状態に応じて、前記鳴動手段の鳴動回数を設定することを特徴とする請求項１に記載の画像形成装置。
【請求項３】
前記動作状態検知手段は、当該画像形成装置の動作状態に応じた数値情報を出力し、
前記鳴動制御手段は、前記数値情報における数値の桁毎に、該桁に対応した鳴動音と、該桁における数値を表す鳴動手段の鳴動回数と、を設定すること
を特徴とする請求項２に記載の画像形成装置。
【請求項４】
前記鳴動制御手段は、
当該画像形成装置の使用者に対して注意を促すための鳴動を行い、
その後、前記各桁に対応した鳴動音に基づく鳴動と、前記各桁における数値を表す回数に対応した鳴動とを順に実行すること
を特徴とする請求項３に記載の画像形成装置。
【請求項５】
前記動作状態検知手段は、当該画像形成装置における複数種類の動作異常を検知可能に構成されており、
前記鳴動制御手段は、前記動作状態検知手段が前記動作異常を検知すると、該動作異常の種類に対応した鳴動音に基づいて前記鳴動手段を鳴動させること
を特徴とする請求項１または請求項２に記載の画像形成装置。
【請求項６】
前記動作状態検知手段により、複数種類の動作異常が検知された場合には、
前記鳴動制御手段は、予め定められた優先度情報に基づいて、優先度が最も高く、かつ、未解決である動作異常についてのみ、その種類に対応した鳴動音に基づいて前記鳴動手段を鳴動させること
を特徴とする請求項５に記載の画像形成装置。
【請求項７】
前記動作状態検知手段は、前記動作異常を検知する際に、該動作異常の発生位置も検知し、
前記鳴動制御手段は、前記動作異常の種類に加えて、該動作異常の発生位置に対応した鳴動音に基づいて前記鳴動手段を鳴動させること
を特徴とする請求項６に記載の画像形成装置。
【請求項８】
前記鳴動制御手段は、
前記動作状態検知手段により、前記動作異常を検知した際、当該画像形成装置の使用者に対して注意を促すための鳴動を行い、
その後、前記動作異常の種類に対応した鳴動音に基づく鳴動と、
前記動作異常の発生位置に対応した鳴動音に基づく鳴動と、
を順に実行すること
を特徴とする請求項７に記載の画像形成装置。
【発明の詳細な説明】
【技術分野】
【０００１】
本発明は、装置の動作状態をブザーにより報知可能な画像形成装置に関する。
【背景技術】
【０００２】
従来より、用紙等の記録媒体を搬送する機構を有する装置において、紙詰まり等のトラブルが発生した場合に、トラブル発生箇所に応じて、ブザーの鳴動回数を変化させて、そのトラブルの情報を報知するものが知られている（例えば、特許文献１参照）。
【特許文献１】特開平３−１６９１５２号公報
【発明の開示】
【発明が解決しようとする課題】
【０００３】
しかしながら、上記装置においては、ブザーにより発生させることができる音の種類が１種類であるため、ブザーの鳴動回数を変化させるだけでは、多くの情報を報知することが困難であるという問題点があった。
【０００４】
また、上記装置における様々な動作状態を報知しようとすると、報知しようとする情報の種類がさらに増えるため、上記装置にて実現することは困難である。
ここで、この問題点を解決するためには、例えば、ブザーの代わりにスピーカを用いて、音声にて情報を報知する構成が考えられるが、この構成では、より多くの情報を報知することはできるものの、ブザーを鳴動させるよりも複雑な装置（スピーカや音声制御装置等）を必要とするので、製造コストが極端に高くなってしまうという問題点がある。
【０００５】
そこで、上記問題点を鑑み、動作状態をブザーにより報知可能な画像形成装置において、製造コストを極端に高くすることなく、より多くの情報を報知可能にすることを本発明の目的とする。
【課題を解決するための手段】
【０００６】
かかる目的を達成するために成された、請求項１に記載の発明は、外部から画像形成データを受けると、該画像形成データに基づいて、記録媒体上に画像を形成する画像形成装置において、ブザーを有する鳴動手段と、当該画像形成装置の動作状態を検知する動作状態検知手段と、前記動作状態検知手段が検知した動作状態に対応して、高低、長短、あるいは音種により特定される鳴動音を、予め定められた複数種類の鳴動音の中から選択し、該鳴動音に従って前記鳴動手段が鳴動するよう該鳴動手段を制御する鳴動制御手段と、を備えたことを特徴としている。
【０００７】
つまり、ブザーを有する鳴動手段により発せられる音が１種類の鳴動音である場合には、多くの情報を報知することが困難であるため、本発明において、鳴動制御手段は、動作状態検知手段が検知した画像形成装置の動作状態に対応して、高低、長短、あるいは音種により特定される鳴動音を予め定められた複数種類の鳴動音の中から選択し、この鳴動音に従って鳴動手段が鳴動するよう制御するのである。
【０００８】
従って、このような画像形成装置（請求項１）であれば、画像形成装置の動作状態に応じて、異なる鳴動音にて鳴動手段を鳴動させることができるので、製造コストを極端に高くすることなく、より多くの情報を報知可能にすることができる。
【０００９】
また、鳴動制御手段は、請求項２に記載のように、動作状態検知手段が検知した動作状態に応じて、鳴動手段の鳴動回数を設定することが望ましい。
このような画像形成装置（請求項２）であれば、画像形成装置の動作状態に応じて、高低、長短、あるいは音種により特定される鳴動音のみでなく、鳴動回数も変化させるので、鳴動音の種類と鳴動回数との組み合わせにより、多くの情報をわかり易く報知することができる。
【００１０】
また、請求項２に記載の画像形成装置において、動作状態検知手段が画像形成装置の動作状態に応じた数値情報を出力する場合には、鳴動制御手段は、請求項３に記載のように、数値情報における数値の桁毎に、桁に対応した鳴動音と、この桁における数値を表す鳴動手段の鳴動回数と、を設定することが好ましい。
【００１１】
このような画像形成装置（請求項３）であれば、動作状態検知手段が出力する数値情報における数値の桁毎に、桁の種類に対応した鳴動音により桁の種類を報知し、この桁における数値は、鳴動手段による鳴動回数により報知するので、数値情報を報知する場合であってもわかり易く報知することができる。
【００１２】
ところで、請求項３に記載の画像形成装置において、鳴動制御手段は、各桁の種類を表す鳴動音と、その桁における数値を表す鳴動音とを同一の鳴動音に設定し、各桁の種類を表す鳴動音を繰り返す鳴動を各桁毎に行うことにより、数値情報を報知してもよいが、鳴動制御手段は、請求項４に記載のように、画像形成装置の使用者に対して注意を促すための鳴動を行い、その後、各桁に対応した鳴動音に基づく鳴動と、各桁における数値を表す回数に対応した鳴動とを順に実行することが望ましい。
【００１３】
このような画像形成装置（請求項４）であれば、定められた順序に従って使用者に数値情報を報知するので、使用者に対して数値情報をより分かり易く報知することができる。
また、請求項１または請求項２に記載の画像形成装置において、請求項５に記載のように、動作状態検知手段は、画像形成装置における複数種類の動作異常を検知可能に構成されており、鳴動制御手段は、動作状態検知手段が動作異常を検知すると、動作異常の種類に対応した鳴動音に基づいて鳴動手段を鳴動させることが好ましい。
【００１４】
このような画像形成装置（請求項５）であれば、動作異常を検知すると、動作異常の種類に応じた鳴動音を発生させるので、使用者に対して動作異常の発生およびその内容を確認し易くすることができる。
【００１５】
さらに、請求項５に記載の画像形成装置において、動作状態検知手段により、複数種類の動作異常が検知された場合には、鳴動制御手段は、請求項６に記載のように、予め定められた優先度情報に基づいて、優先度が最も高く、かつ、未解決である動作異常についてのみ、その種類に対応した鳴動音に基づいて鳴動手段を鳴動させることが望ましい。
【００１６】
このような画像形成装置（請求項６）であれば、使用者に対して動作異常を解除させる際に、優先度情報に基づいて検知された動作異常のみを解除させることができるので、使用者が誤った動作異常解除操作をすることを防止することができる。
【００１７】
また、請求項６に記載の画像形成装置において、動作状態検知手段が動作異常の内容に加えて、動作異常の発生位置も検知するよう構成されている場合には、鳴動制御手段は、請求項７に記載のように、動作異常の種類に加えて、動作異常の発生位置に対応した鳴動音に基づいて鳴動手段を鳴動させるよう構成されていることが好ましい。
【００１８】
このような画像形成装置（請求項７）であれば、動作異常の発生位置も報知することができるので、使用者が発生した動作異常を解除する際に、見当違いの位置を確認する等の無駄な操作をしてしまうことを防止することができる。
【００１９】
さらに、請求項７に記載の画像形成装置において、鳴動制御手段は、請求項８に記載のように、動作状態検知手段により、動作異常を検知した際、画像形成装置の使用者に対して注意を促すための鳴動を行い、その後、動作異常の種類に対応した鳴動音に基づく鳴動と、動作異常の発生位置に対応した鳴動音に基づく鳴動と、を順に実行することが望ましい。
【００２０】
このような画像形成装置（請求項８）であれば、定められた順序に従って使用者に数値情報を報知するので、使用者に対して動作異常の発生、その内容、およびその発生位置をより分かり易く報知することができる。
【発明を実施するための最良の形態】
【００２１】
以下に本発明にかかる実施の形態を図面と共に説明する。
図１は、本発明が適用されたプリンタ１を示す外観図である。
図１に示すように、プリンタ１は、例えばレーザプリンタであって、給紙トレイ６と、排紙トレイ４６と、通気孔６２Ａ、Ｂと、プリンタ１の状態を表示する表示部６０と、プリンタ１の動作設定等を行う操作部６１と、プリンタ１のメインスイッチである電源スイッチ６３と、を備えている。
【００２２】
給紙トレイ６は、本体ケーシング２内の底部に着脱可能に装着されており、この中に用紙３（図２参照）を積層して収納するために用いられる。
また、排紙トレイ４６は、プリンタ１により画像形成され、排出された用紙３を保持するために用いられる。
【００２３】
そして、通気孔６２Ａ、Ｂは、本体ケーシング２内の熱を放出し易くするためのものであり、多数の長孔により構成されている。
また、操作部６１には、プリンタ１の動作設定をするための種々の設定項目を選択するための「＋」「−」キー、この「＋」「−」キーにより選択された設定項目を決定するための「ＳＥＴ」キー等が備えられている。
【００２４】
そして、表示部６０は、例えば、液晶表示装置等からなり、プリンタ１による印字枚数（ページカウンタ）や、異常等のプリンタ１の動作状態を表示すると共に、使用者により操作部６１が操作された際には、各種モード（印字枚数を報知するページカウンタモード、エラーが発生した際にエラー位置を報知する位置報知モード、使用者による操作部６１の操作時やエラー発生時にブザー８３Ａ（図３参照：本発明でいう鳴動手段）を鳴らすブザーモード等）を設定するための画像（文字）を表示する。従って、使用者は、表示部６０に表示された画像を見ながら操作部６１を操作し、各種設定を行うことができる。
【００２５】
次に、本体ケーシング２の内部について説明する。図２は、プリンタ１の要部側断面図である。
図２において、プリンタ１は、本体ケーシング２内に、用紙３を給紙するためのフィーダ部４や、給紙された用紙３に所定の画像を形成するための画像形成部５などを備えている。
【００２６】
フィーダ部４は、前述した給紙トレイ６と、給紙トレイ６内に設けられた用紙押圧板７と、給紙トレイ６の一端側端部の上方に設けられる給紙ローラ８および給紙パット９と、給紙ローラ８に対し用紙３の搬送方向の下流側に設けられる紙粉取りローラ１０および１１と、紙粉取りローラ１０および１１に対し用紙３の搬送方向の下流側に設けられるレジストローラ１２とを備えている。
【００２７】
用紙押圧板７は、給紙ローラ８に対して遠い方の端部において揺動可能に支持されることによって、近い方の端部が上下方向に移動可能とされており、また、その裏側から図示しないばねによって上方向に付勢されている。そのため、用紙押圧板７は、用紙３の積層量が増えるに従って、給紙ローラ８に対して遠い方の端部を支点として、ばねの付勢力に抗して下向きに揺動される。給紙ローラ８および給紙パット９は、互いに対向状に配設され、給紙パット９の裏側に配設されるばね１３によって、給紙パット９が給紙ローラ８に向かって押圧されている。用紙押圧板７上の最上位にある用紙３は、用紙押圧板７の裏側から図示しないばねによって給紙ローラ８に向かって押圧され、その給紙ローラ８の回転によって給紙ローラ８と給紙パット９とで挟まれた後、１枚毎に給紙される。給紙された用紙３は、紙粉取りローラ１０および１１によって、紙粉が取り除かれた後、レジストローラ１２に送られる。レジストローラ１２は、１対のローラから構成されており、用紙３を所定のレジスト後に、画像形成部５に送るようにしている。
【００２８】
なお、このフィーダ部４は、さらに、マルチパーパストレイ１４と、マルチパーパストレイ１４上に積層される用紙３を給紙するためのマルチパーパス側給紙ローラ１５およびマルチパーパス側給紙パット２５とを備えており、マルチパーパス側給紙ローラ１５およびマルチパーパス側給紙パット２５は、互いに対向状に配設され、マルチパーパス側給紙パット２５の裏側に配設されるばね２５ａによって、マルチパーパス側給紙パット２５がマルチパーパス側給紙ローラ１５に向かって押圧されている。マルチパーパストレイ１４上に積層される用紙３は、マルチパーパス側給紙ローラ１５の回転によってマルチパーパス側給紙ローラ１５とマルチパーパス側給紙パット２５とで挟まれた後、１枚毎に給紙される。
【００２９】
画像形成部５は、スキャナユニット１６、プロセスユニット１７、定着ユニット１８などを備えている。
スキャナユニット１６は、本体ケーシング２内の上部に設けられ、レーザ発光部（図示省略）、回転駆動されるポリゴンミラー１９、レンズ２０および２１、反射鏡２２、２３および２４などを備えており、レーザ発光部から発光される所定の画像データに基づくレーザビームを、鎖線で示すように、ポリゴンミラー１９、レンズ２０、反射鏡２２および２３、レンズ２１、反射鏡２４の順に通過あるいは反射させて、後述するプロセスユニット１７の感光体としての感光ドラム２７の表面上に高速走査にて照射させている。
【００３０】
プロセスユニット１７は、スキャナユニット１６の下方に配設され、図２に示すように、本体ケーシング２に対して着脱自在に装着されるドラムカートリッジ２６内に、感光ドラム２７、現像カートリッジ２８、スコロトロン型帯電器２９、転写手段としての転写ローラ３０、クリーニングブラシ５１を備えている。
【００３１】
現像カートリッジ２８は、ドラムカートリッジ２６に対して着脱自在に装着されており、現像ローラ３１、層厚規制ブレード３２、供給ローラ３３およびトナーボックス３４などを備えている。
【００３２】
トナーボックス３４内には、トナーが充填されている。そして、トナーボックス３４内のトナーは、トナーボックス３４の中心に設けられる回転軸３５に支持されるアジテータ３６の矢印方向（時計方向）への回転により、攪拌されて、トナーボックス３４に設けられたトナー供給口３７から放出される。なお、トナーボックス３４の側壁には、トナーの残量検知用の窓３８が設けられており、回転軸３５に支持されたクリーナ３９によって清掃される。
【００３３】
トナー供給口３７の側方位置には、供給ローラ３３が矢印方向（反時計方向）に回転可能に配設されており、また、この供給ローラ３３に対向して、現像ローラ３１が矢印方向（反時計方向）に回転可能に配設されている。そして、これら供給ローラ３３と現像ローラ３１とは、そのそれぞれがある程度圧縮するような状態で互いに当接されている。
【００３４】
供給ローラ３３は、金属製のローラ軸に、導電性の発泡材料からなるローラが被覆されている。また、現像ローラ３１は、金属製のローラ軸に、磁気特性を持たない導電性のゴム材料からなるローラが被覆されている。より具体的には、現像ローラ３１のローラ部分は、カーボン微粒子などを含む導電性のウレタンゴムまたはシリコーンゴムからなるローラ本体の表面に、フッ素が含有されているウレタンゴムまたはシリコーンゴムのコート層が被覆されている。なお、現像ローラ３１には、現像バイアスが印加される。
【００３５】
また、現像ローラ３１の近傍には、層厚規制ブレード３２が配設されている。この層厚規制ブレード３２は、金属の板ばね材からなるブレード本体の先端部に、絶縁性のシリコーンゴムからなる断面半円形状の押圧部４０を備えており、現像ローラ３１の近くにおいて現像カートリッジ２８に支持されて、押圧部４０がブレード本体の弾性力によって現像ローラ３１上に圧接されるように構成されている。
【００３６】
そして、トナー供給口３７から放出されるトナーは、供給ローラ３３の回転により、現像ローラ３１に供給され、この時、供給ローラ３３と現像ローラ３１との間で正に摩擦帯電され、さらに、現像ローラ３１上に供給されたトナーは、現像ローラ３１の回転に伴って、層厚規制ブレード３２の押圧部４０と現像ローラ３１との間に進入し、ここでさらに十分に摩擦帯電されて、一定厚さの薄層として現像ローラ３１上に担持される。
【００３７】
感光ドラム２７は、現像ローラ３１の側方位置において、その現像ローラ３１と対向するような状態で矢印方向（時計方向）に回転可能に配設されている。この感光ドラム２７は、ドラム本体が接地されるとともに、その表面部分が、ポリカーボネートなどから構成される正帯電性の感光層により形成されている。なお、この感光ドラム２７は、図示しないメインモータからの動力によって回転駆動されるように構成されている。
【００３８】
スコロトロン型帯電器２９は、感光ドラム２７の上方に、感光ドラム２７に接触しないように、所定の間隔を隔てて配設されている。このスコロトロン型帯電器２９は、タングステンなどの帯電用ワイヤからコロナ放電を発生させる正帯電用のスコロトロン型の帯電器であり、感光ドラム２７の表面を一様に正極性に帯電させるように構成されている。
【００３９】
そして、感光ドラム２７の表面は、その感光ドラム２７の回転に伴なって、まず、スコロトロン型帯電器２９により一様に正帯電された後、スキャナユニット１６からのレーザビームの高速走査により露光され、所定の画像データに基づく静電潜像が形成される。
【００４０】
次いで、現像ローラ３１の回転により、現像ローラ３１上に担持されかつ正帯電されているトナーが、感光ドラム２７に対向して接触する時に、感光ドラム２７の表面上に形成される静電潜像、すなわち、一様に正帯電されている感光ドラム２７の表面のうち、レーザビームによって露光され電位が下がっている露光部分に供給され、選択的に担持されることによって可視像化され、これによって反転現像が達成される。
【００４１】
転写ローラ３０は、感光ドラム２７の下方において、この感光ドラム２７に対向するように配置され、ドラムカートリッジ２６に矢印方向（反時計方向）に回転可能に支持されている。この転写ローラ３０は、金属製のローラ軸に、イオン導電性のゴム材料からなるローラが被覆されており、転写時には、転写バイアス（転写順バイアス）が印加されるように構成されている。そのため、感光ドラム２７の表面上に担持された可視像は、用紙３が感光ドラム２７と転写ローラ３０との間を通る間に用紙３に転写される。
【００４２】
定着ユニット１８は、プロセスユニット１７の側方下流側に配設され、ギヤが形成された定着ローラ４１、定着ローラ４１を押圧する押圧ローラ４２、および、これら定着ローラ４１および押圧ローラ４２の下流側に設けられる１対の搬送ローラ４３を備えている。定着ローラ４１は、金属製で、加熱のためのハロゲンランプを備えており、プロセスユニット１７において用紙３上に転写されたトナーを、用紙３が定着ローラ４１と押圧ローラ４２との間を通過する間に加熱および加圧することにより定着させ、その後、その用紙３を搬送ローラ４３によって、排紙パス４４に搬送するようにしている。排紙パス４４に送られた用紙３は、排紙ローラ４５に送られて、その排紙ローラ４５によって排紙トレイ４６上に排紙される。
【００４３】
また、このプリンタ１には、用紙３の両面に画像を形成するために、反転搬送部４７が設けられている。この反転搬送部４７は、排紙ローラ４５と、反転搬送パス４８と、フラッパ４９と、複数の反転搬送ローラ５０とを備えている。
【００４４】
排紙ローラ４５は、１対のローラからなり、正回転および逆回転の切り換えができるように構成されている。この排紙ローラ４５は、上記したように、排紙トレイ４６上に用紙３を排紙する場合には、正方向に回転するが、用紙３を反転させる場合には、逆方向に回転する。
【００４５】
反転搬送パス４８は、排紙ローラ４５から画像形成部５の下方に配設される複数の反転搬送ローラ５０まで用紙３を搬送することができるように、上下方向に沿って設けられており、その上流側端部が、排紙ローラ４５の近くに配置されるとともに、その下流側端部が、反転搬送ローラ５０の近くに配置されている。
【００４６】
フラッパ４９は、排紙パス４４と反転搬送パス４８との分岐部分に臨むように、揺動可能に設けられており、図示しないソレノイドの励磁または非励磁により、排紙ローラ４５によって反転された用紙３の搬送方向を、排紙パス４４に向かう方向から、反転搬送パス４８に向かう方向に切り換えることができるように構成されている。
【００４７】
反転搬送ローラ５０は、給紙トレイ６の上方において、略水平方向に複数設けられており、最も上流側の反転搬送ローラ５０が、反転搬送パス４８の後端部の近くに配置されるとともに、最も下流側の反転搬送ローラ５０が、レジストローラ１２の下方に配置されるように設けられている。
【００４８】
そして、用紙３の両面に画像を形成する場合には、この反転搬送部４７が、次のように動作される。すなわち、一方の面に画像が形成された用紙３が搬送ローラ４３によって排紙パス４４から排紙ローラ４５に送られてくると、排紙ローラ４５は、用紙３を挟んだ状態で正回転して、この用紙３を一旦外側（排紙トレイ４６側）に向けて搬送し、用紙３の大部分が外側に送られ、用紙３の後端が排紙ローラ４５に挟まれた時に、正回転を停止する。次いで、排紙ローラ４５は、逆回転するとともに、フラッパ４９が、用紙３が反転搬送パス４８に搬送されるように、搬送方向を切り換えて、用紙３を前後逆向きの状態で反転搬送パス４８に搬送するようにする。なお、フラッパ４９は、用紙３の搬送が終了すると、元の状態、すなわち、搬送ローラ４３から送られる用紙３を排紙ローラ４５に送る状態に切り換えられる。次いで、反転搬送パス４８に逆向きに搬送された用紙３は、反転搬送ローラ５０に搬送され、この反転搬送ローラ５０から、上方向に反転されて、レジストローラ１２に送られる。レジストローラ１２に搬送された用紙３は、裏返しの状態で、再び、所定のレジスト後に、画像形成部５に向けて送られ、これによって、用紙３の両面に所定の画像が形成される。
【００４９】
なお、用紙３が通過する搬送経路には、用紙３の位置を検出するための位置センサ６４〜６７（本発明でいう動作状態検知手段）が配置されている。より具体的に述べると、位置センサ６４はレジストローラ１２の直前に配置されており、位置センサ６５はレジストローラ１２の直後に配置されている。また、位置センサ６６は定着ローラ４１の直後に配置されており、位置センサ６７は排紙ローラ４５の直前に配置されている。
【００５０】
また、感光ドラム２７を駆動するギヤ、および定着ローラ４１を駆動するギヤには、回転センサ８５（図２では図示省略、図３参照：本発明でいう動作状態検知手段）が配置されている。
【００５１】
次にプリンタ１における制御系について図３を用いて説明する。図３は、プリンタ１に内蔵された制御装置７０を中心として、その周辺に位置する各部との電気的な結合関係を示すブロック図である。
【００５２】
この制御装置７０は、スキャナユニット１６、プロセスユニット１７、画像形成部５、プリンタ１の用紙搬送系の動力源となるメインモータ、感光ドラム２７に対して現像ローラ３１を接触／離間させるための動力源となる離間モータ等の各種モータ８４を、操作部６１を介して入力される使用者からの指令、もしくは、ネットワークを介して入力される各種情報処理装置（パーソナルコンピュータ等）からの指令に従い制御するためのものであり、ＣＰＵ７１（本発明でいう鳴動制御手段）、ＲＯＭ７２、ＲＡＭ７３、および、これら各部を接続するバスライン７６を中心とする周知のマイクロコンピュータにて構成されている。また、ＲＡＭ７３にはプリンタ１による印字枚数（ページカウンタ）が記憶される。
【００５３】
次に、制御装置７０には、ブザー８３Ａが接続されている。ブザー８３Ａは、例えば圧電ブザーから成り、制御装置７０のブザー制御部７７により駆動され、ブザー制御部７７は、ＣＰＵ７１からの指令を受けると、この指令に応じて異なる周波数の駆動信号をブザー８３Ａに送信し、ブザー８３Ａに異なる種類の音を発生させるよう構成されている。
【００５４】
また、制御装置７０には、ＣＰＵ７１からの指令に従い画像形成部５を制御するための画像形成制御部７９、ＣＰＵ７１からの指令に従い、各種モータ８４のそれぞれに駆動パルスを送信し、各種モータ８４を駆動させるためのモータ駆動部７８、ＣＰＵ７１からの指令に従い表示部６０に当該プリンタ１の動作状態等を表示するための表示制御部８０、操作部６１を介して入力される使用者からの指令信号や、位置センサ６４〜６７あるいは回転センサ８５からの検出信号を制御装置７０内に取り込むための信号入力部８１、ネットワークを介して外部の情報処理装置（パーソナルコンピュータ等）との間でデータ通信を行うためのネットワークインターフェイス（ネットワークＩ／Ｆ）７４も備えられており、これら各部は、バスライン７６を介して、ＣＰＵ７１、ＲＯＭ７２、ＲＡＭ７３に接続されている。
【００５５】
そして、ＣＰＵ７１は、外部の情報処理装置からネットワークを介してプリント要求を受けると、その後ネットワークを介して送信されてくるプリントデータ（画像形成データ）に従い画像形成制御部７９やメインモータを駆動制御することにより、用紙３を搬送しつつ用紙３上にプリントデータに基づく画像を形成する。
【００５６】
また、画像形成中において、回転センサ８５は、感光ドラム２７を駆動するギヤおよび定着ローラ４１における実際の回転量を検知する。そして、ＣＰＵ７１は、モータ駆動部７８が感光ドラム２７および定着ローラ４１を駆動するために各種モータ８４に送信する駆動パルスと、回転センサ８５により検知された、感光ドラム２７を駆動するギヤおよび定着ローラ４１における実際の回転量とが一致するか否かを判定する。このとき、両者が一致しなければ、駆動系のエラーとして報知する。
【００５７】
また、位置センサ６４〜６７は、各センサ位置において用紙３の有無を検出し、ＣＰＵ７１は、モータ駆動部７８が各種モータ８４に送信する駆動パルスと、位置センサ６４〜６７による検知とを関連付けて、用紙３が存在すべき位置に用紙３が存在しない場合や、用紙３が存在しないはずの位置に用紙３が存在する場合に、紙詰まり（用紙ジャム）として報知する。
【００５８】
さらに、ＣＰＵ７１は、位置センサ６４〜６７および回転センサ８５による検知等に基づいて、各種エラーを検出した場合には、画像形成部５の動作を停止させて、画像形成動作を禁止する処理を実行すると共に、後述するエラー報知処理（Ｓ４１０以降の処理）を実行する。
【００５９】
次に、プリンタ１における印刷枚数を示すページカウンタの値を報知する際の処理について、図４〜図６を用いて説明する。図４はＣＰＵ７１が実行するページカウンタ報知処理を示すフローチャート、図５はページカウンタ報知処理のうちページカウンタ表示処理を示すフローチャート、図６はページカウンタ報知処理のうち数値報知処理を示すフローチャートである。
【００６０】
図４に示すページカウンタ報知処理では、まずＳ１００にて、後述するページカウンタ表示処理を実行し、Ｓ１１０に移行する。
Ｓ１１０では、ページカウンタを表示しているか否かを判定し（後述するＳ２９０の処理が実行されたか否かを判定し）、ページカウンタを表示していると判定すれば、Ｓ１２０に移行し、ページカウンタを表示していないと判定すれば、ページカウンタ報知処理を終了する。
【００６１】
次に、Ｓ１２０では、ページカウンタを鳴動音を利用して報知するブザーモードであるか否かを判定する。ブザーモードであると判定すると、Ｓ１３０に移行し、ブザーモードではないと判定すれば、ページカウンタ報知処理を終了する。なお、ブザーモードにするか否かは、操作部６１を介して使用者が任意に設定することができる。
【００６２】
そして、Ｓ１３０では、後述する数値報知処理を実行し、ページカウンタ報知処理を終了する。
次に、Ｓ１００におけるページカウンタ表示処理について、図５を用いて説明する。
【００６３】
図５に示すページカウンタ表示処理では、Ｓ２１０にて、使用者により、操作部６１に備えられたキーのうち、「＋」、「−」、または「ＳＥＴ」の設定キーが操作されたか否かを判定する。上記設定キーが操作されていないと判定すれば、Ｓ２１０の処理を繰り返す。「ＳＥＴ」キーが操作されたと判定すれば、Ｓ２２０に移行する。
【００６４】
Ｓ２２０では、「ＳＥＴ」キーの操作を受け付けた旨を示す操作受付音を鳴らし、Ｓ２４０に移行する。
一方、Ｓ２１０の処理を繰り返し、「＋」または「−」キーが操作されたと判定すればＳ２３０に移行し、Ｓ２３０にて、「＋」または「−」キーの操作を受け付けた旨を示す操作音を鳴らし、Ｓ２１０に戻る。
【００６５】
そして、Ｓ２４０では、各種メニューの中から、「ＭＡＩＮＴＥＮＡＮＣＥ」（メンテナンス）が選択（表示）された状態、Ｓ２２０にて「ＳＥＴ」キーが操作されたか否かを判定する。「ＭＡＩＮＴＥＮＡＮＣＥ」が選択されたと判定すれば、Ｓ２５０に移行する。
【００６６】
また、Ｓ２４０にて、「ＭＡＩＮＴＥＮＡＮＣＥ」が選択されていないと判定すれば、ページカウンタ表示処理を終了する（選択されたメニューに対応した表示および処理が実行される）。
【００６７】
Ｓ２５０では、再び設定キーが操作されたか否かを判定する。設定キーが操作されていないと判定すれば、Ｓ２５０の処理を繰り返し、「＋」または「−」キーが操作されたと判定すればＳ２７０に移行し、Ｓ２７０にて、Ｓ２３０の処理と同様に、操作音を鳴らし、Ｓ２５０に戻る。また、Ｓ２５０にて「ＳＥＴ」キーが操作されたと判定すれば、Ｓ２６０に移行し、Ｓ２６０にて、Ｓ２２０の処理と同様に操作受付音を鳴らし、Ｓ２８０に移行する。
【００６８】
次に、Ｓ２８０では、各種メニューの中から、「ＰＡＧＥＣＯＵＮＴＥＲ」（ページカウンタ）が選択（表示）された状態で、Ｓ２５０にて「ＳＥＴ」キーが操作されたか否かを判定する。「ＰＡＧＥＣＯＵＮＴＥＲ」が選択されたと判定すれば、Ｓ２９０に移行し、Ｓ２９０にて、ＲＡＭ７３から印刷枚数（ページカウンタ）を読み出し、表示部６０に印刷枚数を表示し、ページカウンタ表示処理を終了する。ここで、表示部６０に表示される印刷枚数は、４桁の数字にて表示されるよう設定されている。
【００６９】
また、Ｓ２８０にて、「ＰＡＧＥＣＯＵＮＴＥＲ」が選択されていないと判定すれば、ページカウンタ表示処理を終了する（選択したメニューに対応した表示および処理が実行される）。
【００７０】
次に、ページカウンタ報知処理（図４参照）のＳ１３０における数値報知処理について、図６を用いて説明する。
図６に示す数値報知処理では、Ｓ２９５にて、プリンタ1の使用者に対して、ページカウンタの値を音により報知する旨を示す注意を促す鳴動音を発生させた後、Ｓ３００にて、ページカウンタの値の最も上位の桁である千の位の桁を示す音、および数値をＲＡＭ７３内に格納された情報から選択し、Ｓ３１０に移行する。
【００７１】
Ｓ３１０では、選択された桁を示す音を鳴らし、Ｓ３２０に移行し、Ｓ３２０では、数値を示す数値表示音を指定回数鳴らしたか否かを判定する。数値判定音を指定回数鳴らしていないと判定すれば、Ｓ３３０に移行し、Ｓ３３０にて数値表示音を鳴らし、Ｓ３２０に戻る。また、Ｓ３２０にて、数値表示音を指定回数鳴らしたと判定すれば、Ｓ３４０に移行する。つまり、数値が７である場合、数値表示音が７回鳴動することとなる。
【００７２】
次に、Ｓ３４０では、選択している桁がページカウンタの値の最も下位の桁である一の位の桁であるか否かを判定する。選択している桁が一の位の桁ではないと判定すれば、Ｓ３５０に移行し、選択している桁に対して１つ下の位の桁を示す音、および数値をＲＡＭ７３内に格納された情報から選択し、Ｓ３１０に戻る。また、Ｓ３４０にて、選択している桁が、一の位の桁であると判定すると、数値報知処理を終了する。
【００７３】
次に、画像形成中に、プリンタ１に発生した異常（エラー）を報知する処理について、図７および図８を用いて説明する。図７は、ＣＰＵ７１が実行するエラー報知処理を示すフローチャート、図８はエラー報知処理のうち位置報知処理を示すフローチャートである。
【００７４】
図７に示すエラー報知処理は、画像形成部５を駆動し、用紙３に画像形成を行っている際に実行される処理であって、Ｓ４００にて、位置センサ６４〜６７および回転センサ８５の検知により、エラーが発生したか否かを判定する。エラーは発生していないと判定すれば、Ｓ４００の処理を繰り返し、エラーが発生したと判定すれば、Ｓ４１０に移行する。
【００７５】
Ｓ４１０では、検知したエラーの種類を判別し、Ｓ４２０にて、検知したエラーのうち、最も報知優先度が高いエラーを選択する。ここで、報知優先度は、予めエラーの種類に応じて優先順位を付けてＲＯＭ７２に格納された情報（優先度情報）である。
【００７６】
そして、Ｓ４３０に移行し、Ｓ４３０では、選択したエラー内容を表示部６０に文字にて表示し、Ｓ４４０に移行する。
Ｓ４４０では、Ｓ１２０の処理と同様に、ブザーモードであるか否かを判定する。ブザーモードあると判定すれば、Ｓ４５０に移行し、ブザーモードではないと判定すれば、Ｓ５００に移行する。なお、ブザーモードにするか否かは、操作部６１を介して使用者が任意に設定することができる。
【００７７】
Ｓ４５０では、エラーが発生した旨を知らせるため、使用者の注意を促すエラー音を鳴らし、Ｓ４６０にてエラーの種別を示すエラー種別音を鳴らし、Ｓ４７０に移行する。
Ｓ４７０では、選択しているエラーが、エラー位置報知を必要とするものか否かを判定する。エラー位置報知が必要であると判定すれば、Ｓ４８０に移行し、エラー位置報知が必要ではないと判定すれば、Ｓ５００に移行する。
【００７８】
次に、Ｓ４８０では、プリンタ１の設定が位置報知モードに設定されているか否かを判定する。位置報知モードに設定されていると判定すれば、Ｓ５００に移行し、位置報知モードに設定されていないと判定すれば、Ｓ４９０に移行し、Ｓ４９０にて後述する位置報知処理を実行した後にＳ５００に移行する。なお、位置検知モードにするか否かは、操作部６１を介して使用者が任意に設定することができる。
【００７９】
Ｓ５００では、使用者が適切な処置を行い、Ｓ４３０にて表示部６０に表示したエラーが解除されたか否かを判定する。エラーが解除されていないと判定すれば、Ｓ５００の処理を繰り返し、エラーが解除されたと判定すれば、Ｓ５１０に移行する。
【００８０】
そして、Ｓ５１０では、他に解除されていないエラーがあるか否かを判定する。解除されていないエラーがあると判定すれば、Ｓ５２０に移行し、Ｓ５２０にて選択されたエラーの次に優先度が高いエラーを選択し、Ｓ４３０からの処理を繰り返す。また、Ｓ５１０にて、解除されていないエラーがないと判定すれば、エラー報知処理を終了する。
【００８１】
次に、エラー報知処理（図７参照）のＳ４９０における位置報知処理について、図８を用いて説明する。
図８に示す位置報知処理では、Ｓ６００にて、エラーが発生した位置を検知し、Ｓ６１０にて初めに発生したエラー位置を示す音をブザー８３Ａにて報知し、Ｓ６２０に移行する。
【００８２】
Ｓ６２０では、既に報知したエラー箇所以外に、エラー箇所があるか否かを判定する。他にエラー箇所があると判定すれば、Ｓ６３０に移行し、次に発生したエラー位置をブザー８３Ａにて報知し、Ｓ６２０に戻る。また、Ｓ６２０にて他にエラー箇所はないと判定すれば、Ｓ６４０に移行する。
【００８３】
Ｓ６４０では、選択したエラー（Ｓ４２０またはＳ５２０にて選択されたエラー）は解除されたか否かを判定する。選択したエラーが解除されていないと判定すれば、Ｓ６４０の処理を繰り返し、選択したエラーが解除されたと判定すれば、表示部６０をエラー表示から通常表示に戻し、位置報知処理を終了する。
【００８４】
次に、ページカウンタ報知処理（図４参照）およびエラー報知処理（図７参照）の際にブザー８３Ａにより鳴らされる鳴動パターン（鳴動音および鳴動回数）の一例について、図９および図１０を用いて説明する。図９はページカウンタ報知処理の際に鳴らされる鳴動パターンを示す説明図、図１０はエラー報知処理の際に鳴らされる鳴動パターンを示す説明図であり、図９および図１０において、横軸は時間（秒）を示している。
【００８５】
図９に示すように、ページカウンタ報知処理にて鳴らされる操作音（Ｓ２３０およびＳ２７０）は、０．２秒：３．３ｋＨｚにて表現される。
また、操作受付音（Ｓ２２０、Ｓ２６０）は、０．２秒：３．３ｋＨｚ、０．１秒：無音、０．２秒：３．３ｋＨｚ、を順に実行することにより表現される。
【００８６】
次に、桁表示音（Ｓ３１０）は、各桁により異なる音が準備されており、一の位を示す桁表示音は、０．３秒：２．３ｋＨｚ、０．２秒：無音、０．１秒：３．３ｋＨｚ、を順に実行することにより表現される。
【００８７】
また、十の位を示す桁表示音は、０．１秒：２．３ｋＨｚ、０．１秒：無音、０．１秒：２．３ｋＨｚ、０．１秒：無音、０．１秒：３．３ｋＨｚ、を順に実行することにより表現される。
【００８８】
そして、百の位を示す桁表示音は、０．３秒：２．３ｋＨｚ、０．２秒：無音、０．１秒：３．３ｋＨｚを順に実行することにより表現される。
さらに、千の位を示す桁表示音は、０．１秒：２．３ｋＨｚ、０．１秒：無音、０．１秒：２．３ｋＨｚ、０．１秒：無音、０．１秒：２．３ｋＨｚ、を順に実行することにより表現される。
【００８９】
そして、数値表示音（Ｓ３３０）は、０．１秒：３．３ｋＨｚの音を０．２秒：無音を挟んで、その数値の回数だけ繰り返すことにより表現される。
従って、このような桁表示音および数値表示音を用いて、例えば、１０２３を表現する際には、千の位を示す桁表示音、０．４秒：無音、０．１秒：３．３ｋＨｚ、０．４秒：無音、百の位を示す桁表示音、０．４秒：無音、十の位を示す桁表示音、０．４秒：無音、０．１秒：３．３ｋＨｚ、０．２秒：無音、０．１秒：３．３ｋＨｚ、０．４秒：無音、一の位を示す桁表示音、０．４秒：無音、０．１秒：３．３ｋＨｚ、０．２秒：無音、０．１秒：３．３ｋＨｚ、０．２秒：無音、０．１秒：３．３ｋＨｚを順に実行することにより表現される。
【００９０】
また、図１０に示すように、エラー報知処理にて鳴らされるエラー音（Ｓ４５０）は、
０．１秒：３．３ｋＨｚ、０．１秒：無音、０．１秒：３．３ｋＨｚ、０．１秒：無音、０．１秒：３．３ｋＨｚを順に実行することにより表現される。
【００９１】
そして、エラー種別音（Ｓ４６０）は、エラーの種別により異なる音が準備されており、用紙ジャムを示すエラー種別音は、０．２秒：２．３ｋＨｚ、０．２秒：３．３ｋＨｚを順に２回繰り返し実行することにより表現される。
【００９２】
また、トナーエンプティを示すエラー種別音は、０．２秒：２．３ｋＨｚ、０．２秒：３．３ｋＨｚを順に３回繰り返し実行することにより表現される。
さらに、用紙ジャムおよびトナーエンプティ以外のエラーを示すエラー種別音は、０．２秒：２．３ｋＨｚ、０．２秒：３．３ｋＨｚを順に４回繰り返し実行することにより表現される。
【００９３】
そして、エラー位置を示す位置報知音（Ｓ６３０）についてもエラー種別音と同様に、エラーの種別により異なる音が準備されており、レジストローラ１２付近のエラーを示す位置報知音は、０．１秒：２．３ｋＨｚにて表現される。
【００９４】
また、感光ドラム２７付近のエラーを示す位置報知音は、０．１秒：２．３ｋＨｚ、０．１秒：無音、０．１秒：２．３ｋＨｚを順に実行することにより表現される。
そして、定着ローラ４１付近のエラーを示す位置報知音は、０．１秒：２．３ｋＨｚ、０．１秒：無音、０．１秒：２．３ｋＨｚ、０．１秒：無音、０．１秒：２．３ｋＨｚを順に実行することにより表現される。
【００９５】
さらに、排紙ローラ４５付近のエラーを示す位置報知音は、０．１秒：２．３ｋＨｚ、０．１秒：無音、０．１秒：２．３ｋＨｚ、０．１秒：無音、０．１秒：２．３ｋＨｚ、０．１秒：無音、０．１秒：２．３ｋＨｚを順に実行することにより表現される。
【００９６】
従って、例えば、定着ローラ４１付近にて用紙ジャムを検知した場合には、エラー音、０．４秒：無音、用紙ジャムを示すエラー種別音、０．４秒：無音、定着ローラ４１付近のエラーを示す位置報知音、を順に実行することにより表現される。
【００９７】
以上のように詳述したプリンタ１においては、ブザー８３Ａ（鳴動手段）と、プリンタ１の動作状態を検知する位置センサ６４〜６７および回転センサ８５（動作状態検知手段）と、位置センサ６４〜６７および回転センサ８５が検知した動作状態に対応して、高低、長短、あるいは音種により特定される鳴動音を、予め定められた複数種類の鳴動音の中から選択し、選択された鳴動音に従ってブザー８３Ａが鳴動するようブザー８３Ａを制御するＣＰＵ７１（鳴動制御手段）と、を備えている。
【００９８】
従って、プリンタ１の動作状態に応じて、ブザー８３Ａに異なる鳴動音を発生させることができるので、製造コストを極端に高くすることなく、より多くの情報を報知可能にすることができる。
【００９９】
また、ＣＰＵ７１は、位置センサ６４〜６７および回転センサ８５が検知した動作状態に応じて、鳴動音の種類のみでなく、鳴動音の鳴動回数も変化させるので、鳴動音の種類と鳴動回数との組み合わせにより、多くの情報をわかり易く報知することができる。
【０１００】
さらに、ページカウンタの値を出力する場合には、ＣＰＵ７１は、ページカウンタにおける数値の桁毎に、桁の種類を表す鳴動音、および桁における数値を表す鳴動音の鳴動回数を設定するので、ページカウンタの値を音により報知する場合であっても、わかり易く報知することができる。
【０１０１】
また、ＣＰＵ７１は、ページカウンタの値を音により報知する際には、プリンタ１の使用者に対して注意を促す鳴動音を発生させる鳴動制御（Ｓ２９５）を行い、その後、各桁を表す鳴動音を発生させる鳴動制御（Ｓ３１０）と、各桁における数値を表す回数だけ鳴動音を発生させる鳴動制御（Ｓ３３０）とを交互に繰り返すので、使用者に対してページカウンタの値をより分かり易く報知することができる。
【０１０２】
さらに、ページカウンタの値のある桁の値が０であっても、桁を表す鳴動音は発生させられるので、鳴動音を聞きなれない使用者にとっても、鳴動音の意味を分かり易くすることができる。
【０１０３】
また、位置センサ６４〜６７および回転センサ８５は、プリンタ１における複数種類の動作異常（エラー）を検知可能に構成されており、ＣＰＵ７１は、位置センサ６４〜６７および回転センサ８５が動作異常を検知すると、動作異常の種類に応じた鳴動音を発生させるので使用者に対して動作異常の発生およびその内容を確認し易くすることができる。
【０１０４】
さらに、位置センサ６４〜６７および回転センサ８５により、複数種類の動作異常が検知された場合には、ＣＰＵ７１は、予め定められた優先度情報に基づいて、優先度が最も高く、未解決である動作異常の内容を表す鳴動音のみを発生させるので、優先度情報に基づいて検知された動作異常のみを解除させることができ、使用者が誤った動作異常解除操作をすることを防止することができる。
【０１０５】
また、エラーの解除手順を使用者に教えることができる。
加えて、ＣＰＵ７１は、動作異常の内容に加えて、動作異常の発生位置を表す鳴動音を発生させるので、使用者が発生した動作異常を解除する際に無駄な操作をしてしまうことを防止することができる。
【０１０６】
さらに、ＣＰＵ７１は、位置センサ６４〜６７および回転センサ８５により、使用者の注意を促す鳴動制御（Ｓ４５０）と、動作異常の内容を表す鳴動音を発生させる鳴動制御（Ｓ４６０）と、動作異常の発生位置を表す鳴動音を発生させる鳴動制御（Ｓ６１０）と、を順に実行するので、使用者に対して動作異常の発生、その内容、および発生位置をより分かり易く報知することができる。
【０１０７】
また、本実施形態におけるプリンタ１では、音の高低を利用して、エラーの種類、位置、およびページカウンタの値における桁の種類等の情報を報知するよう構成しているので、音の長短のみを利用して各種情報を報知する場合と比較して、使用者にとってよりわかり易く情報を報知できる。
【０１０８】
なお、本実施形態における位置報知処理（図８参照）では、エラーが発生した全ての位置を順に報知するよう構成したが、例えば、エラーを解除する手順を限定したい場合には、図１１に示すような位置報知処理を実行することが望ましい。
【０１０９】
つまり、図１１に示す位置報知処理では、Ｓ７００にて、エラーが発生した位置を検知し、Ｓ７１０にて最も報知優先度が高いエラー位置を示す音をブザー８３Ａにて報知し、Ｓ７２０に移行する。
【０１１０】
Ｓ７２０では、選択したエラー（Ｓ４２０またはＳ５２０にて選択されたエラー）は解除されたか否かを判定する。選択したエラーが解除されていないと判定すれば、Ｓ７２０の処理を繰り返し、選択したエラーが解除されたと判定すれば、Ｓ７３０にて他にエラー箇所があるか否かを判定する。他にエラー箇所があると判定すれば、Ｓ７４０に移行し、Ｓ７４０にて、次に報知優先度が高いエラー位置をブザー８３Ａにて報知し、Ｓ７２０からの処理を繰り返す。また、Ｓ７３０にて、他にエラー箇所はないと判定すれば、表示部６０をエラー表示から通常表示に戻し、位置報知処理を終了する。
【０１１１】
なお、例えば、Ｓ７００の処理にて、用紙ジャムが複数の位置にて検知された際には、プリンタ１の構造上、用紙３の搬送経路の下流側から用紙ジャムを解決すべきであると考えられるため、報知優先度は、用紙３の搬送経路の上流側よりも、用紙３の搬送経路の下流側が高く設定されている。
【０１１２】
このような位置報知処理（図１１）を実行すれば、プリンタ１にとって望ましいエラーの解除手順を使用者に報知することができる。
また、ブザー制御部７７は、ＣＰＵ７１からの指令に応じて異なる周波数の駆動信号をブザー８３Ａに送信し、ブザー８３Ａに異なる種類の音を発生させるよう構成したが、特にこのように構成する必要はなく、例えば図１２に示すように、異なる音を発生させる複数のブザー（図１２の例では、ブザー８３Ａおよび８３Ｂの２個）を備え、それぞれのブザー８３Ａおよび８４Ｂは、それぞれ単一の周波数の音を設定するよう構成してもよい。
【０１１３】
さらに、異なる音を発生させる複数のブザーに、それぞれ異なる複数種類の音を発生させるよう構成してもよい。
また、本実施形態の数値報知処理において、ページカウンタの数値をブザー８３Ａの鳴動により報知する際に、桁表示音と数値を示す音とを異なる鳴動パターンにて表現したが、特にこのようにする必要はなく、例えば、桁表示音を繰り返し鳴動させることにより、その桁における数値を表現してもよい。
【０１１４】
さらに、本実施形態の数値報知処理においては、ページカウンタの上位の位（千の位）から順に数値を報知するよう構成したが、特にこのようにする必要はなく、例えば、ページカウンタの下位の位（一の位）から数値を報知するよう構成してもよい。
【０１１５】
また、本実施形態におけるブザー８３Ａは、２種類の音（２．３ｋＨｚおよび３．３ｋＨｚの音）を発生するよう構成したが、２種類の音に限らず、例えば、５種類の音を発生するよう構成してもよい。
【０１１６】
さらに、本実施形態におけるページカウンタでは、４桁の数値を報知するよう構成したが、報知する数値の桁数は、特に４桁にする必要はなく、４桁よりも多い桁数であってもよいし、４桁よりも少ない桁数であってもよい。
【０１１７】
上述のようにしても、本実施形態におけるプリンタ１と同様の効果が得られる。
【図面の簡単な説明】
【０１１８】
【図１】本発明が適用されたプリンタを示す外観図である。
【図２】プリンタの要部側断面図である。
【図３】制御装置周辺の電気的な結合関係を示すブロック図である。
【図４】ページカウンタ報知処理を示すフローチャートである。
【図５】ページカウンタ表示処理を示すフローチャートである。
【図６】数値報知処理を示すフローチャートである。
【図７】エラー報知処理を示すフローチャートである。
【図８】位置報知処理を示すフローチャートである。
【図９】ページカウンタ報知処理の際に鳴らされる鳴動パターンを示す説明図である。
【図１０】エラー報知処理の際に鳴らされる鳴動パターンを示す説明図である。
【図１１】変形例の位置報知処理を示すフローチャートである。
【図１２】変形例における制御装置周辺の電気的な結合関係を示すブロック図である。
【符号の説明】
【０１１９】
１…プリンタ、２…本体ケーシング、３…用紙、４…フィーダ部、５…画像形成部、６…給紙トレイ、７…用紙押圧板、８…給紙ローラ、９…給紙パット、１０、１１…紙粉取りローラ、１２…レジストローラ、１３…ばね、１４…マルチパーパストレイ、１５…マルチパーパス側給紙ローラ、１６…スキャナユニット、１７…プロセスユニット、１８…定着ユニット、１９…ポリゴンミラー、２０、２１…レンズ、２２〜２４…反射鏡、２５…マルチパーパス側給紙パット、２６…ドラムカートリッジ、２７…感光ドラム、２８…現像カートリッジ、２９…スコロトロン型帯電器、３０…転写ローラ、３１…現像ローラ、３２…層厚規制ブレード、３３…供給ローラ、３４…トナーボックス、３５…回転軸、３６…アジテータ、３７…トナー供給口、３８…窓、３９…クリーナ、４０…押圧部、４１…定着ローラ、４２…押圧ローラ、４３…搬送ローラ、４４…排紙パス、４５…排紙ローラ、４６…排紙トレイ、４７…反転搬送部、４８…反転搬送パス、４９…フラッパ、５０…反転搬送ローラ、５１…クリーニングブラシ、６０…表示部、６１…操作部、６２Ａ、Ｂ…通気孔、６３…電源スイッチ、６４〜６７…位置センサ、７０…制御装置、７１…ＣＰＵ、７２…ＲＯＭ、７３…ＲＡＭ、７４…ネットワークインターフェイス、７６…バスライン、７７…ブザー制御部、７８…モータ駆動部、７９…画像形成制御部、８０…表示制御部、８１…信号入力部、８３Ａ、Ｂ…ブザー、８４…各種モータ、８５…回転センサ。
【図１】
2005096130.tif 000003
【図２】
2005096130.tif 000004
【図３】
2005096130.tif 000005
【図４】
2005096130.tif 000006
【図５】
2005096130.tif 000007
【図６】
2005096130.tif 000008
【図７】
2005096130.tif 000009
【図８】
2005096130.tif 000010
【図９】
2005096130.tif 000011
【図１０】
2005096130.tif 000012
【図１１】
2005096130.tif 000013
【図１２】
2005096130.tif 000014